(57)【特許請求の範囲】
【請求項１】
化学発光による微弱光を放出する被写体をデジタルカメラにて撮影する撮影装置であって、
被写体を置くためのベースボードおよびデジタルカメラを具備し底面が開口した撮影フードから構成され、前記ベースボードの上面に前記撮影フードは着脱可能な状態で配置され、前記撮影フードには前記ベースボードの上面と対向する底面を有するフランジを具備しており、前記フランジは前記撮影フードの底面開口部分に沿って１周する形に設けられ、前記フランジにはフランジに沿って１周する形に遮光固定された少なくとも１つの遮光部材を有し、前記ベースボード上には前記フランジに遮光固定された遮光部材に沿って１周する形に遮光固定された少なくとも１つの遮光部材を有しており、前記ベースボードの上に前記撮影フードを装着した際、前記フランジおよび前記ベースボードにそれぞれ遮光固定された遮光部材は入れ子状に配置され、それぞれ黒色光無反射素材でできた前記ベースボード上面、前記フランジ底面および前記２つの遮光部材側面の４面から構成されるライトトラップを形成することを特徴とする撮影装置。
【発明の詳細な説明】
【技術分野】
【０００１】本発明は分子生物学分野における化学発光の微弱光撮影に用いることができ、かつ蛍光画像も撮影可能な撮影装置に関する。
【背景技術】
【０００２】従来より、化学発光を利用して目的のたんぱく質や核酸を検出する化学発光検出は、非常に高い感度を有するために広く利用されてきた。特に電気泳動の分野では、ゲルで分離したタンパク質や核酸をニトロセルロース、ＰＶＤＦあるいはナイロンなどのメンブレンシート上にブロットして、ルミノール、アクリジニウムエステルあるいはアダマンタン化合物（ジオキセタン）などを化学発光させ、被写体であるメンブレンシートから発する微弱光を冷却ＣＣＤや高感度ＣＭＯＳカメラなどのデジタルカメラにより撮影して検出する方法が確立し、それに伴い高感度撮影が可能な化学発光撮影装置が普及してきている（特許文献１および２参照）。【０００３】一方、アガロースゲルなどで分離した核酸をゲルのままエチジウムブロマイドなどの蛍光色素で染色し、トランスイルミネーター（特許文献３参照）と呼ばれる励起光源のガラスフィルター上にゲルを載せ、核酸から発せられる蛍光をゲルの上方からデジタルカメラにより撮影して検出する方法が頻繁に行われている。従来は暗室内で蛍光の撮影を行っていたが、通常の室内で撮影が行えるに様に室内光を適度に遮断できるフードが付いたフード付きカメラが普及してきている。【０００４】化学発光撮影に用いられる化学発光撮影装置は、一般的に被写体を設置する暗箱と暗箱に取付けられたデジタルカメラから構成されている。化学発光は極微弱な光であるため、暗箱は高度に遮光された状態を保持する必要がある。そのため暗箱は被写体を出し入れするための扉を具備した完全な箱型構造となっており、扉を閉めると完全な暗箱を形成する。一般的に分子生物学の研究室においては化学発光のみ撮影することは極希で、多くの研究室では核酸の蛍光撮影も行われている。従って用途ごとに撮影装置をそれぞれ設備しなければならず非常に不経済である。そこで専用のトランスイルミネーターを化学発光撮影装置の暗箱内に増設することにより、化学発光と蛍光の両方が撮影できる装置が市販されている。この場合、専用のトランスイルミネーターを暗箱内に設置しなければならないため装置が大型化し、さらに遮光にかかわるコストも増加することから、大変高価な装置となっている（非特許文献１参照）。【０００５】一方、エチジウムブロマイドなどの蛍光撮影に用いることができるフード付きカメラは、コンパクトデジタルカメラのレンズ側に中空のフードが取付けられており、フードの被写体側は完全な開口状態で、その開口部を被写体が載せられたトランスイルミネーターに被せて遮光し被写体を撮影する構造となっている。このようにフード付きカメラはいたってシンプルな構造であることから安価なものとなっている。このフード付きカメラによる遮光は簡易的なものであって、仮にコンパクトデジタルカメラの代わりに高感度カメラを採用して化学発光を撮影しようとしても、フードの外から漏れてくる光に邪魔されて正常な画像を得ることはできない。そのような理由から現在フード付きカメラで化学発光撮影が可能なカメラは存在しない。【０００６】このように化学発光検出に用いられる化学発光撮影装置にはエチジウムブロマイドなどの蛍光撮影が可能な撮影装置も存在するが、専用のトランスイルミネーターを暗箱内に設置することから非常に大型で、かつ高価な装置となっている。またエチジウムブロマイドなどの蛍光撮影に用いることができるフード付きカメラでは、化学発光撮影に対応する高度な遮光ができず化学発光撮影を行うことができない。
【先行技術文献】
【特許文献】
【０００７】
【特許文献１】  特開２０００−２４１３５２号  公報
【特許文献２】  特開平１０−２１５４０４号  公報
【特許文献３】  特開２００７−３３３４７９号  公報
【非特許文献】
【０００８】
【非特許文献１】「ＩｍａｇｅＱｕａｎｔ  ＬＡＳ４０００シリーズ」インターネット  イメージャー選択ガイドＰＤＦカタログ，２０１０年，ＧＥヘルスケア・ジャパン株式会社，Ｐ．５
【発明の概要】
【発明が解決しようとする課題】
【０００９】前記のように、分子生物学分野においては化学発光の微弱光撮影に用いることができ、かつ蛍光画像も撮影可能な撮影装置が求められている。しかしながら化学発光撮影装置に蛍光撮影機能を持たせた場合には、撮影装置の大型化と高価格化という問題点があり、また蛍光撮影で用いるフード付きカメラに化学発光撮影機能を持たせるには、化学発光撮影時に何らかの手段を用い十分な遮光を施さなければならないという問題点を抱えており、その解決策が強く求められている。本発明はこれらの問題を一挙に解決し、化学発光および蛍光撮影が可能な安価で小型の撮影装置を提供することにある。
【課題を解決するための手段】
【００１０】以上の課題を解決するために、被写体を置くためのベースボードおよびデジタルカメラを具備した撮影フードから構成され、前記ベースボードの上面に前記撮影フードは着脱可能な状態で配置され、前記撮影フードには前記ベースボードの上面と対向する底面を有するフランジを具備しており、前記フランジおよび前記ベースボードにはそれぞれ遮光固定された少なくとも１つずつの遮光部材を有し、前記ベースボード上に前記撮影フードを装着した際に前記フランジおよび前記ベースボードの遮光部材は入れ子状に配置されることで前記ベースボードの上面、前記フランジの底面および前記遮光部材の側面から成るライトトラップを形成することを特徴とする撮影装置により解決することができる。
【発明の効果】
【００１１】本発明によれば、撮影フードは容易にベースボードから着脱可能であることから、ベースボードから切り離した撮影フードをトランスイルミネーターに被せることで従来のフード付きカメラと同様に蛍光撮影が可能となる。またベースボードに撮影フードを装着することでライトトラップが形成され、そのライトトラップにより撮影フード内が高度に遮光されるために化学発光撮影も可能となる。さらに蛍光撮影のための専用トランスイルミネーターを必要とせず、すでに手持ちの汎用品が使用できるうえ、トランスイルミネーターは撮影装置の外部に置かれるため撮影装置は極めて小さくかつ安価なものを提供することが可能となる。
【図面の簡単な説明】
【００１２】
【図１】本発明の撮影装置の一態様を示す断面図
【図２】本発明の撮影装置の遮光原理を示す断面図
【図３】本発明の撮影装置の他の態様を示す断面図
【発明を実施するための形態】
【００１３】以下、本発明の実施の形態を図１、２および３に基づいて説明する。
【００１４】図１は本発明の撮影装置の一態様を示した図で、箱型形状をした撮影装置の垂直断面図である。図１において、本発明の撮影装置は撮影フード１、ベースボード２、デジタルカメラ３、フランジ４、遮光部材５ａ、遮光部材５ｂおよび被写体６より構成されている。被写体６は、ＰＶＤＦやニトロセルロースなどのメンブレンシートである。デジタルカメラ３はレンズを下側に向けて撮影フード１に遮光固定されている。撮影フード１は箱型形状で内側は中空、底面は完全に開口しており、その開口部分に沿って１周する形にフランジ４が設けられている。
【００１５】フランジ４には遮光部材５ａがフランジの縁に沿って１周する形に遮光固定されている。ベースボード２には、遮光部材５ｂが遮光部材５ａの内側に沿って配置される様に遮光固定されている。図１（ａ）は撮影フード１が持ち上げられ、ベースボード２と離された状態を示しているが、撮影フード１をベースボード２の上に載せ装着すると、フランジ４の周辺は図１（ｂ）の様に遮光部材５ａと遮光部材５ｂが入れ子状に配置されることになる。それによりベースボード２、フランジ４、遮光部材５ａと遮光部材５ｂの４面によりライトトラップ７が形成され、前記４面は黒色光無反射素材でできているため光をトラップすることができる。その結果撮影フード１およびベースボード２から成る暗箱が形成される。
【００１６】ここでライトトラップ７の機能についてより詳しく説明すると、図２において遮光部材５ａはフランジ４に遮光固定されているので、外部から光ｈνが進入する経路は遮光部材５ａの底面とベースボード２の上面の隙間に限定される。進入光ｈνは、遮光部材５ｂがベースボード２に遮光固定されているため直進的に遮光部材５ｂを越えることはできない。従って、進入光ｈνはすべての面が黒色無反射素材から成るライトトラップ７の空間において、吸収と僅かな反射と散乱を繰返して減衰し消滅する。このように非常にシンプルな構造にもかかわらず、冷却ＣＣＤカメラや高感度ＣＭＯＳカメラによる化学発光の撮影に於いては十分な遮光を達成することが可能である。さらに通常の室内環境下では、フランジ４の底面と遮光部材５ｂの上面が必ずしも密着している必要はなく、図２で示すようにフランジ４の底面と遮光部材５ｂの上面に隙間が存在しても本発明を実施することが可能である。
【００１７】図１においてフランジ４の形状は、撮影フード１の外側に張り出す形状で描かれているが、遮光部材５ａが取付けまたは形成可能であればどのような形状でも良く、図３（ａ）で示すように撮影フード１の内側に張り出す形状でも、図３（ｂ）で示すように内側および外側に張り出す形状でも本発明を実施することができる。またフランジ４の底面とベースボード２の上面は対向していれば良く、必ずしも平行である必要はない。例えばフランジ４の底面に段が存在していても斜めであっても本発明を実施することができる。フランジ４の素材は、ライトトラップ７を形成する底面が黒色無反射素材であれば特に限定されたものではない。例えば、鉄、アルミニウム合金、ステンレスなどの金属や樹脂素材に黒色のつや消し塗装を施しても良いし、黒色の植毛紙やモルトプレーンなどの無反射シートを表面に貼り付けても本発明を実施することができる。
【００１８】図１において撮影フード１をベースボード２に装着した場合、遮光部材５ａの内側に遮光部材５ｂが入れ子状に配置されているが、この位置関係は限定されるものではなく、逆に遮光部材５ｂが外側にありその内側に遮光部材５ａが入れ子状に配置されても本発明は実施することができる。さらに遮光部材は遮光部材５ａおよび遮光部材５ｂの１対だけではなく、複数の櫛形遮光部材を互い違の入れ子状に配置することにより本発明を実施することも可能である。
【００１９】遮光部材５ａおよび遮光部材５ｂの断面形状はライトトラップ７を形成できればどのような形状であっても良く、多角形または円形でも本発明を実施することができる。さらに図３（ｃ）で示すように遮光部材５ａは撮影フード１を兼用することも可能である。また遮光部材５ａは、撮影フード１およびフランジ４と１体成型加工により製作することも可能である。同様にベースボード２と遮光部材５ｂは１体成型加工により製作することも可能である。遮光部材５ａおよび遮光部材５ｂの素材は、ライトトラップ７を形成する側面が光を吸収し無反射であればどのような素材を用いても本発明を実施することができる。例えば金属素材に黒色のつや消し塗装を施しても良いし、黒色の植毛紙やモルトプレーンといった無反射シートを表面に貼り付けても良い。さらに黒色マット加工の樹脂や黒色の天然ゴムやエラストマーまたは黒色スポンジなども使用することができる。
【００２０】図１（ｂ）における遮光部材５ａと遮光部材５ｂの間隙Ｗは０ｍｍ以上であればその寸法に制限はないが、撮影フード１をベースボード２から容易に着脱でき、かつ大型化しないという点を考慮すると、Ｗを遮光部材５ａと遮光部材５ｂの最小間隙と定義した場合、０．５ｍｍ以上５０ｍｍ以下が好ましく、さらに好ましくは２ｍｍ以上１０ｍｍ以下である。ライトトラップ７の高さ寸法Ｈは、原理的に高ければ高いほど遮光効果が向上するためその寸法に制限はないが、Ｈをフランジ４の底面とベースボード２の上面の最小間隙と定義した場合、撮影フード１の着脱の容易さにおいてＨの値はＷ／３以上１０Ｗ以下が好ましく、Ｗ以上５Ｗ以下の範囲がより好ましい。
【００２１】図１で示す態様において、撮影フード１は自重のみにてベースボード２の上に載っている状態であるが、工業用ファスナーや止めネジなど自在に開閉可能な留め具を追加して、重力方向に加重したり撮影フード１をベースボード２に固定したりすることも可能である。
【実施例】
【００２２】以下、実施例により本発明を具体的に説明するが、これらは本発明の範囲を限定するものではない。
【実施例１】本実施例では図１に示す本発明の撮影装置の一態様を用い、撮影フード１はリポニクス社製の化学発光撮影用カメラＬｕｍｉＣｕｂｅの底板を取り外すことにより底面全体を開口状態とした。次に、スチールを加工し黒色つや消し塗装を施したフランジ４を図１のように底面に取り付けた。ベースボード２をスチールで加工し黒色つや消し塗装を施した。断面の幅１２ｍｍ高さ８ｍｍの黒色ネオプレンゴムテープを撮影フード１に接着して遮光部材５ａとした。遮光部材５ｂは黒色マット加工のアクリル樹脂を断面の幅１０ｍｍ高さ７ｍｍになるように加工し、ベースボード２に固定した。このときＷ＝５ｍｍ，Ｈ＝８ｍｍであった。蛍光撮影用の被写体として、インビトロジェン社製ＤＮＡラダーをアガロースゲル電気泳動にて分離した後、エチジウムブロマイドにて染色を行った。３１２ｎｍのＵＶトランスイルミネーターの上に上記アガロースゲルを載せ、撮影用のオレンジフィルターをカメラのレンズに取り付けた後、撮影フード１を上記アガロースゲルに被せて撮影を行った。カメラのＩＳＯ感度８００，絞り４．０，シャッタースピード２秒にてＤＮＡの明瞭な蛍光画像を撮影することができた。【００２３】次に撮影フード１をベースボード２の上に載せ装着し光の漏れ具合を確認した。カメラの感度１２８００，絞り１．４に設定して３０分間のバルブ撮影を行ったところ、撮影画像からは光の漏れは全く確認できなかった。次に化学発光撮影用の被写体としてインビトロジェン社製のＩｇＧ抗体結合部位を持つタンパク質サイズマーカーをＳＤＳ−ＰＡＧＥにて分離した後、ＰＶＤＦメンブレンにブロティングしＨＲＰ標識ＩｇＧ抗体を反応させた。ＧＥヘルスケア社製のルミノール系化学発光試薬ＥＣＬに前記ＰＶＤＦメンブレンを浸してからベースボード２上の被写体６の位置に載せ、撮影フード１をベースボード２の上に載せ装着してからカメラのＩＳＯ感度１２８００，絞り１．４にて露光時間３分間のバルブ撮影を行ったところ、化学発光しているタンパク質の明瞭な画像を撮影することができた。
【符号の説明】
【００２４】１    撮影フード
２    ベースボード
３    デジタルカメラ
４    フランジ
５ａ  遮光部材
５ｂ  遮光部材
６    被写体
７    ライトトラップ
【要約】      （修正有）【課題】化学発光および蛍光撮影が可能な安価で小型の撮影装置を提供する。【解決手段】被写体６を置くためのベースボード２およびデジタルカメラ３を具備した撮影フード１から構成され、ベースボード２の上面に撮影フード１は着脱可能な状態で配置され、撮影フード１にはベースボード２の上面と対向する底面を有するフランジ４を具備しており、フランジ４およびベースボード２にはそれぞれ遮光固定された少なくとも１つの遮光部材５ａ，５ｂを有し、ベースボード２上に撮影フード１を装着した際、フランジ４およびベースボード２の遮光部材５ａ，５ｂは入れ子状に配置されることでベースボード２の上面、フランジ４の底面および遮光部材５ａ，５ｂの側面から成るライトトラップ７を形成する。【選択図】図１【図１】
0004771267.tif 000002
【図２】
0004771267.tif 000003
【図３】
0004771267.tif 000004